(57)【特許請求の範囲】
【請求項１】
遊技球を研磨材により研磨しながら搬送し、前記研磨により除去された塵埃を集塵する集塵機が備えられた研磨搬送リフトにおいて、
前記集塵機は、前記塵埃が搬送される集塵ホースが接続された集塵ケースと、この集塵ケースに収納された回転筒フィルタと、この回転筒フィルタの外周面に接触するブラシと、前記回転筒フィルタに連結された駆動モータと、前記回転筒フィルタに形成された開口部に連結された吸引コンプレッサと、
から構成され、
前記吸引コンプレッサの吸気により前記集塵ホースから前記集塵ケース内へ搬送された前記塵埃が前記回転筒フィルタに濾されてこの外周面に付着し、前記回転筒フィルタが前記駆動モータにより回転させられることで前記ブラシにより清掃され、前記塵埃が前記集塵ケース内に蓄積される、
ことを特徴とする研磨搬送リフト。
【請求項２】
前記回転筒フィルタが、同軸上に備えられた弾性部材および前記開口部に備えられたシール部材により前記吸引コンプレッサ側に押し付けられて密着させられた、
ことを特徴とする請求項１に記載の研磨搬送リフト。
【請求項３】
前記駆動モータおよび前記吸引コンプレッサを所定のスケジュールに従って稼働または休止する制御手段が備えられた、
ことを特徴とする請求項１または請求項２に記載の研磨搬送リフト。
【請求項４】
前記集塵ケースは、集塵ケース本体と、この集塵ケース本体を閉塞する着脱可能な集塵ケース蓋と、から構成された、
ことを特徴とする請求項１ないし請求項３のいずれか１項に記載の研磨搬送リフト。
【発明の詳細な説明】
【技術分野】
【０００１】
本発明は、集塵機が備えられた研磨搬送リフトに関するものである。
【背景技術】
【０００２】
従来のパチンコ球揚送装置は、パチンコ球と研磨粒との混合体を、揚送パイプ内に設けられた移送螺旋体の回転により撹拌させてパチンコ球に付着した塵埃を除去しながら搬送し、搬送した混合体を選別器に通すことでパチンコ球と研磨粒とを分離し、パチンコ球を各パチンコ機に供給し、研磨粒を揚送パイプに戻して循環使用するという構成である。そして、除去した塵埃を揚送パイプの途中に設けられた集塵装置により集塵する。
【０００３】
上記の集塵装置は、例えば、下記特許文献１に記載されているように、選別装置から選別用吸塵パイプを経て塵埃を搬送する吸塵パイプの先端が、集塵ボックスの一側壁に設けられた吸塵口に接続され、この吸塵口からのエアを集塵ボックスの外側に送り出すための吸引パイプが、集塵モータから延設されて他側壁に接続され、袋状パック式の集塵フィルタが、集塵ボックス内の吸塵口に対向して取り付け板を介して取り付けられて構成されている。
【０００４】
そして、集塵モータの作動により、吸塵パイプから搬送された塵埃は吸塵口を経て集塵フィルタに蓄積され、塵埃が除去されたエアが吸引パイプから集塵ボックスの外側へ送られる。
【先行技術文献】
【特許文献】
【０００５】
【特許文献１】実用新案登録第２５６９８８４号公報
【発明の概要】
【発明が解決しようとする課題】
【０００６】
しかし、上記した集塵装置は、蓄積した塵埃を廃棄するため、また、目詰まりを起こすと集塵フィルタの集塵力が低下するため、少なくとも月に１回程度、集塵フィルタを交換する必要がある。集塵フィルタの交換は、主に研磨搬送リフトのメーカーが請け負う場合が多く、メーカーの作業員が毎月客先にアポイントを取りつけて作業をすることになるが、閉店後の作業であるため、時間的、経済的に大きな負担となっていた。
【０００７】
本発明は、上記の実情に鑑みて提案されたものである。すなわち、集塵力が低下することなく、フィルタの交換時期および塵埃の廃棄時期を長期化させた集塵機が備えられた研磨搬送リフトの提供を目的とする。
【課題を解決するための手段】
【０００８】
上記目的を達成するために、本発明は、遊技球を研磨材により研磨しながら搬送し、前記研磨により除去された塵埃を集塵する集塵機が備えられた研磨搬送リフトにおいて、前記集塵機は、前記塵埃が搬送される集塵ホースが接続された集塵ケースと、この集塵ケースに収納された回転筒フィルタと、この回転筒フィルタの外周面に接触するブラシと、前記回転筒フィルタに連結された駆動モータと、前記回転筒フィルタに形成された開口部に連結された吸引コンプレッサと、から構成され、前記吸引コンプレッサの吸気により前記集塵ホースから前記集塵ケース内へ搬送された前記塵埃が前記回転筒フィルタに濾されてこの外周面に付着し、前記回転筒フィルタが前記駆動モータにより回転させられることで前記ブラシにより清掃され、前記塵埃が前記集塵ケース内に蓄積されることを特徴としている。
【０００９】
また、前記回転筒フィルタが、同軸上に備えられた弾性部材および前記開口部に備えられたシール部材により前記吸引コンプレッサ側に押し付けられて密着させられたことを特徴としている。
【００１０】
また、前記駆動モータおよび前記吸引コンプレッサを所定のスケジュールに従って稼働または休止する制御手段が備えられたことを特徴としている。
【００１１】
また、前記集塵ケースは、集塵ケース本体と、この集塵ケース本体を閉塞する着脱可能な集塵ケース蓋と、から構成されたことを特徴としている。
【発明の効果】
【００１２】
本発明に係る研磨搬送リフトでは、集塵機は、塵埃が搬送される集塵ホースが接続された集塵ケースと、この集塵ケースに収納された回転筒フィルタと、この回転筒フィルタの外周面に接触するブラシと、回転筒フィルタに連結された駆動モータと、回転筒フィルタに形成された開口部に連結された吸引コンプレッサと、から構成され、吸引コンプレッサの吸気により集塵ホースから集塵ケース内へ搬送された塵埃が回転筒フィルタに濾されてこの外周面に付着し、回転筒フィルタが駆動モータにより回転させられることでブラシにより清掃され、塵埃が集塵ケース内に蓄積される。
したがって、集塵力が低下することなく、回転筒フィルタの交換時期および塵埃の廃棄時期を長期化させることができる。
【００１３】
特に、回転筒フィルタが、同軸上に備えられた弾性部材および開口部に備えられたシール部材により吸引コンプレッサ側に押し付けられて密着させられることが好ましい。
この構成により、回転筒フィルタの集塵力を高めることができる。
【００１４】
特に、駆動モータおよび吸引コンプレッサを所定のスケジュールに従って稼働または休止する制御手段が備えられることが好ましい。
この構成により、回転筒フィルタの集塵力を維持することができる。
【００１５】
特に、集塵ケースは、集塵ケース本体と、この集塵ケース本体を閉塞する着脱可能な集塵ケース蓋とから構成されていることが好ましい。
この構成により、塵埃の廃棄を容易に行うことができる。
【図面の簡単な説明】
【００１６】
【図１】本発明に係る研磨搬送リフトの一実施形態を説明する概略説明図である。
【図２】集塵機の正面図である。
【図３】集塵機の平面図である。
【図４】集塵機の要部を示す部分断面正面図である。
【図５】集塵機の要部を示す部分断面平面図である。
【図６】集塵機の要部を示す分解斜視図である。
【図７】回転筒フィルタの分解斜視図である。
【発明を実施するための形態】
【００１７】
以下に、本発明の実施形態を図面に基づいて説明する。
【００１８】
図１において、本実施形態に係る研磨搬送リフト１では、図示しないパチンコ機からアウトした遊技球２が、球通路３を流下して研磨搬送パイプ４に搬送される。研磨搬送パイプ４内では、遊技球２が軸方向に回転する螺旋撹拌具５によって研磨材Ａと共に撹拌され、研磨されながら上昇して上部球タンク６へ搬送される。上部球タンク６では、遊技球２が球補給通路８へ搬送され、球補給通路８を流下した遊技球２は再びパチンコ機へ搬送される。一方、遊技球２と分離された研磨材Ａは、研磨材通路９内を落下した後、研磨搬送パイプ４内へ搬送され、再び遊技球２を研磨する。同時に、研磨材Ａによって遊技球２から除去された図示しない塵埃は、研磨材通路９途中に設けられた集塵機吸い込み口７から集塵ホース２３を通って、吸気する集塵機１０に集塵される。
【００１９】
図２、図３において、集塵機１０は研磨搬送リフト１に取り付けられ、集塵部１００と、この集塵部１００を回動可能に支持する吸引部２００とから構成されている。集塵部１００は、塵埃が搬送される集塵ホース２３が接続された集塵ケース２０と、この集塵ケース２０に収納された回転筒フィルタ３０と、この回転筒フィルタ３０の外周面に接触するブラシ４０と、回転筒フィルタ３０の一端に備えられた駆動モータ５０とから構成されている。さらに、集塵部１００には集塵部フレーム１１０が取り付けられている。吸引部２００は、回転筒フィルタ３０の他端に形成された開口部３２ａ（図７参照）に連通された吸引コンプレッサ６０である。この吸引部２００には吸引部フレーム１６０が取り付けられている。
【００２０】
集塵部フレーム１１０は、向かい合う側面板１１１と、この側面板１１１の一辺同士を連接する背面板１１２と、この背面板１１２の一辺と側面板１１１の他の一辺同士とを連接する上面板１１３とから構成されている。なお、図３では理解しやすくするために上面板１１３が透かして表されている。集塵部フレーム１１０は、側面板１１１が一方の側面板１１１ａに貫通して備えられた駆動モータ接続ベース７０と、他方の側面板１１１ｂに貫通して備えられた吸引コンプレッサ接続ベース８０とを介して、両側から集塵ケース２０を挟んで支持している。また、上面板１１３には、集塵ケース２０に接続された集塵ホース２３を貫通させる貫通孔が形成されている。なお、駆動モータ接続ベース７０および吸引コンプレッサ接続ベース８０については後述する。
【００２１】
図４、図５、図６において、集塵ケース２０は、透明な六面体の箱であり、集塵ケース本体２１と、この集塵ケース本体２１を閉塞する集塵ケース蓋２２とから構成されている。集塵ケース２０は、集塵ケース本体２１と集塵ケース蓋２２とを開閉可能とする着脱可能なヒンジ部２７が背面側に、開閉時に係止または解除する係止部２８が正面側にそれぞれ備えられている。また、集塵ケース２０には、集塵ホース２３が接続される集塵ホース接続口２４が上面側に備えられ、集塵ケース２０に収納された回転筒フィルタ３０を支持する連通孔２５が両側面側にそれぞれ形成されている。これらの連通孔２５は、集塵ケース本体２１と集塵ケース蓋２２との嵌合箇所に同軸上に形成されている。集塵ケース蓋２２は、集塵ケース本体２１の縁と嵌合する縁に集塵ケースシールゴム２６が周回して備えられ、この集塵ケースシールゴム２６を介して集塵ケース本体２１と嵌合することで、閉塞させた集塵ケース２０内の気密性を保たせることができる。集塵ケース蓋２２は、一側面側が駆動モータ接続ベース７０に、他側面側が吸引コンプレッサ接続ベース８０にそれぞれビスで固定されることで集塵部フレーム１１０に挟まれている。
【００２２】
駆動モータ接続ベース７０は、略円盤状に形成され、一面の略中央から円筒状の連通支持軸７２が突出している。この連通支持軸７２の外周にはリング状の連通孔シールゴム９０が備えられ、内側には駆動軸７３が駆動モータ接続ベース７０を貫通し、回転可能に支持されている。連通孔シールゴム９０は、集塵ケース２０内の気密性を保たせるように、集塵ケース２０の側面側に形成された連通孔２５に嵌合される。駆動軸７３は一端が、回転筒フィルタ３０の一端に圧縮して備えられた弾性部材としてのコイルバネ９１を介して連結され、他端が、被駆動平歯車７４を介して駆動モータ５０に連結されている。
【００２３】
吸引コンプレッサ接続ベース８０は、略円盤状に形成され、一面から円筒状の連通支持口８２が突出し、他面に吸引コンプレッサ６０の吸気口６１（図４参照）に被せる吸気口蓋部８３が形成されている。この連通支持口８２の外周には、リング状の連通孔シールゴム９０、シール部材としてのＯリング９２および連通支持口側潤滑リング８４が備えられ、内側には吸引コンプレッサ接続ベース８０を貫通する通風連通路８５が形成されている。連通孔シールゴム９０は、集塵ケース２０内の気密性を保たせるように、集塵ケース２０の側面側に形成された連通孔２５に嵌合されている。吸引コンプレッサ接続ベース８０は、連通支持口８２が回転筒フィルタ３０の他端に連結され、吸気口蓋部８３が吸引コンプレッサ６０の吸気口６１に被せられている。
【００２４】
図２において、集塵ホース２３は、一端が集塵ケース２０の上面側に備えられた集塵ホース接続口２４に接続されてホースバンドで留められ、他端が集塵機吸い込み口７に接続されている（図１参照）。集塵ホース接続口２４は、集塵ケース２０の上面側を貫通し、集塵ホース２３により搬送される塵埃を集塵ケース２０内に集塵する。集塵ケース２０内で集塵ホース接続口２４と対峙する位置には回転筒フィルタ３０が備えられる。
【００２５】
図６、図７において、回転筒フィルタ３０は、軸を形成する中筒３１と、この中筒３１が挿入された円筒状の筒状スポンジ３３と、この筒状スポンジ３３を覆う集塵シート３４とから構成されている。回転筒フィルタ３０は、一端が中筒３１の一端である閉塞鍔３１ａにより閉塞され、他端が中筒３１の他端である開口鍔３１ｂにより開口されて形成されている。回転筒フィルタ３０は、一端側が駆動モータ接続ベース７０に支持された駆動軸７３に、他端側が吸引コンプレッサ接続ベース８０に形成された連通支持口８２にそれぞれ支持されて集塵ケース２０内に収納されている。
【００２６】
中筒３１は、側面が通気性のよい格子状に形成された円筒状の通風軸３１ｃを有し、この通風軸３１ｃにより筒の内側に通風路３２が形成されている。通風軸３１ｃの一端に形成された閉塞鍔３１ａは円盤状に形成され、通風路３２の一端を閉塞している。通風軸３１の他端に形成された開口鍔３１ｂは円環状に形成され、通風路３２の他端に開口部３２ａを形成している。これらの鍔（３１ａ、３１ｂ）は、径が筒状スポンジ３３と略同径であり、筒状スポンジ３３を両端から挟んでいる。
【００２７】
閉塞鍔３１ａには、凸状軸部３５が中心から突出して形成され、この凸状軸部３５が駆動モータ接続ベース７０に支持された駆動軸７３に連結されている。凸状軸部３５と駆動軸７３との間にはコイルバネ９１が圧縮されて備えられている（図４参照）。閉塞鍔３１ａがこの圧縮されたコイルバネ９１の復元力を受けることで、回転筒フィルタ３０は吸引コンプレッサ接続ベース８０側に押し付けられている。
【００２８】
一方、開口鍔３１ｂに開口された通風路３２の開口部３２ａの内周にはフィルタ側潤滑リング３６が備えられ、このフィルタ側潤滑リング３６が吸引コンプレッサ接続ベース８０に形成された連通支持口８２の連通支持口側潤滑リング８４に回転可能に嵌合される。より具体的には、フィルタ側潤滑リング３６の内径と連通支持口側潤滑リング８４の外径とが略同一であるため、フィルタ側潤滑リング３６の内周に連通支持口側潤滑リング８４の外周が嵌合されて両潤滑リングが同心円となる。この両潤滑リングにより、回転筒フィルタ３０の回転時の摩擦を低減させる。開口部３２ａは、縁が連通支持口側潤滑リング８４の同軸上に備えられたＯリング９２により軸方向側からシールされ吸引コンプレッサ接続ベース８０に密着させられる。
【００２９】
筒状スポンジ３３は、円筒状に形成され、通気性のよい弾性体である例えばスポンジなどから構成されている。特に気泡体のスポンジであれば軽量であるため、回転筒フィルタ３０を回転させやすくなる。
【００３０】
筒状スポンジ３３の外周面を覆う集塵シート３４は、例えば、紙、布などから構成され、中筒３１の両鍔（３１ａ、３１ｂ）に結束バンド３７で挟まれて固定されている。
【００３１】
集塵シート３４に接触するブラシ４０は、板バネ４１に支持されて集塵ケース蓋２２の内側で背面側に備えられたヒンジ部２７寄りに備えられ、毛先が回転筒フィルタ３０の周面の略法線方向に延びて集塵シート３４に当たっている。ブラシ４０は、全長が回転筒フィルタ３０の全長と略同じ長さに形成され、回転筒フィルタ３０を覆う集塵シート３４の全体を清掃することができる。
【００３２】
駆動モータ５０は、駆動モータフレーム１５０が取り付けられ、この駆動モータフレーム１５０が集塵部フレーム１１０を構成する側面板１１１ａに取り付けられている。駆動モータ５０には駆動平歯車５１が備えられ、この駆動平歯車５１が駆動モータ接続ベース７０の駆動軸７３の他端に備えられた被駆動平歯車７４とかみ合わされている（図４、図５参照）。
【００３３】
図２、図３において、吸引コンプレッサ６０は、例えばブロアモータであり、吸引部フレーム１６０が取り付けられ、この吸引部フレーム１６０が集塵部フレーム１１０を構成する側面板１１１ｂに取り付けられている。吸引コンプレッサ６０には、ファンを回転させて吸気する吸気口６１が形成されている（図４参照）。吸気口６１は、内周と略同径の円盤状スポンジ６２が備えられ（図４参照）、吸引コンプレッサ接続ベース８０の吸気口蓋部８３（図６参照）が嵌合されている。吸引コンプレッサ６０には、圧力センサ６３が吸引部フレーム１６０に取り付けられて備えられている。圧力センサ６３は、図示しないコイルバネが挿入されたチューブ６４によって吸引コンプレッサ６０の吸気口６１に接続され、吸気による負圧が規定値に達すると図示しない外部装置などへ信号を出力する出力端子が備えられている。
【００３４】
上記のように構成された集塵機１０によれば、遊技球２から除去された塵埃は以下のように集塵される。ここで、吸気による空気の流れと塵埃の流れとは経路が同じであるため、理解しやすくするために、それぞれの流れを併せて説明する。
【００３５】
図１、図２において、集塵機１０を稼働させると、集塵機１０を構成する吸引コンプレッサ６０がファンを回転させて吸気を開始する。研磨搬送パイプ４内で遊技球２から除去された塵埃は集塵機引き込み口７から集塵ホース２３を経由して集塵機１０を構成する集塵ケース２０内に吸引される。吸引された塵埃は、吸引コンプレッサ６０による吸気が集塵ケース２０内に収納された回転筒フィルタ３０の外側から内側へ向かうため、回転筒フィルタ３０を構成する集塵シート３４に濾されて付着し、空気のみが回転筒フィルタ３０を通過する。通過した空気は、回転筒フィルタ３０を構成する格子状の中筒３１を通過し、通風路３２から吸引コンプレッサ接続ベース８０の通風連通路８５を通って吸引コンプレッサ６０の吸気口６１より吸気される（図６、図７参照）。仮に、僅かな塵埃が回転筒フィルタ３０を通過した場合であっても、吸気口６１には円盤状スポンジ６２が備えられているため、吸引コンプレッサ６０内に塵埃が入ることがない（図４参照）。
【００３６】
図４、図５において、回転筒フィルタ３０は集塵ホース接続口２４の真下に備えられているため、塵埃が回転筒フィルタ３０の周面のうち集塵ホース接続口２４に直近した上側の面に蓄積される。回転筒フィルタ３０は、駆動モータ５０が所定のスケジュールに制御されて駆動することで回転させられ、その回転方向は一端側である駆動モータ５０側から見て反時計回りとなる（図中矢印方向）。回転筒フィルタ３０が回転すると、蓄積された塵埃の一部は、重力によって落下して集塵ケース２０内に蓄積される。回転筒フィルタ３０が更に回転すると、落下しなかった残りの塵埃は、この集塵シート３４の全体に当たるように備えられたブラシ４０によって清掃される。ブラシ４０によって清掃され、集塵シート３４から剥離された塵埃は集塵ケース２０内に蓄積される。
【００３７】
回転筒フィルタ３０が回転している間、すなわち、駆動モータ５０が駆動している間は、吸引コンプレッサ６０が所定のスケジュールに制御されてファンの回転を停止する。
【００３８】
駆動モータ５０および吸引コンプレッサ６０の制御は、制御手段としての例えばタイマーリレーやシーケンサーなどによって行い、所定の時刻となった場合や所定の時間が経過した場合など、あらかじめ設定したスケジュールに従って稼働、休止するようにする。例えば、吸引コンプレッサ６０を６時間毎に１分間休止させ、その間に駆動モータ５０を１０回転または１５秒間稼働させる、などのスケジュールを組む。更に、圧力センサ６３による信号に基づいて制御することも可能である。なお、手動によるスイッチのオンまたはオフによる制御も可能である。また、制御手段は、ホールコンピュータに備えられていてもよい。
【００３９】
集塵ケース２０は、集塵ケース本体２１と集塵ケース蓋２２とから構成され、これらは着脱可能であるため、塵埃が蓄積された集塵ケース本体２１を集塵ケース蓋２２から外して容易に塵埃を廃棄することができる。具体的には、集塵ケース２０の正面側に備えられた係止部２８を解除し、集塵ケース本体２１を集塵ケース蓋２２に対し横向きにスライドすることで集塵ケース２０の背面側に備えられたヒンジ部２７を雄側と雌側とに分離する。このように、集塵ケース本体２１を集塵ケース蓋２２から簡単に外すことが出来る。外した集塵ケース本体２１を水などで洗浄した後、再び元に戻す。
【００４０】
集塵シート３４は、ブラシ４０により清掃されるため目詰まりが防止されるが、塵埃による汚れが目立つ場合は交換することができる。集塵シート３４は結束バンド３７で挟まれて固定されているため、結束バンド３７を外せば新たな集塵フィルタへ容易に交換することができる。なお、集塵フィルタ３４の交換は、回転筒フィルタ３０ごと行ってもよい。
【００４１】
上記したように、本実施形態に係る集塵機１０は、回転筒フィルタ３０が回転させられて集塵シート３４がブラシ４０によって清掃される。したがって、集塵シート３４の目詰まりが防止され、集塵力が低下せず、集塵シート３４の交換時期および塵埃の廃棄時期を６カ月程度に長期化させることができる。
【００４２】
集塵ケース２０は、集塵ケース蓋２２の縁に、集塵ケース本体２１の縁と嵌合する集塵ケースシールゴム２６が周回して備えられ、内側に備えられた回転筒フィルタ３０を両側面側で支持する連通孔２５が、駆動モータ接続ベース７０および吸引コンプレッサ接続ベース８０に備えられた連通孔シールゴム９０によってシールされる。したがって、集塵ケース２０内の気密性が保たれ、集塵機１０の集塵力を高めることができる。
【００４３】
さらに、回転筒フィルタ３０は、一端に中筒３１の閉塞鍔３１ａが形成されて駆動モータ接続ベース７０との間にコイルバネ９１が圧縮されて備えられ、他端に中筒３１の開口鍔３１ｂが形成されてＯリング９２により吸引コンプレッサ接続ベース８０との間がシールされている。この構成により、回転筒フィルタ３０は、一端側からコイルバネ９１の復元力によって押され、Ｏリング９２によってシールされた他端側が吸引コンプレッサ接続ベース８０に密着させられる。したがって、吸気による空気が開口鍔３１ｂに形成された開口部３２ａから漏れることがなく、集塵機１０の集塵力をさらに高めることができる。
【００４４】
また、回転筒フィルタ３０が吸引コンプレッサ接続ベース８０に密着させられても、回転筒フィルタ３０は、開口部３２ａの内周に備えられたフィルタ側潤滑リング３６と、吸引コンプレッサ接続ベース８０の連通支持口８２に備えられた連通支持口側潤滑リング８４とが回転可能に嵌合されているため、回転時の摩擦が低減されて容易に回転することができる。
【００４５】
また、回転筒フィルタ３０の集塵シート３４は、筒状スポンジ３３が吸気によって縮径することなく筒状の一定形状に保たれているため、この筒状スポンジ３３により弛むことなく内側から径方向に張られた状態に維持されて塵埃を確実に付着させることができる。
【００４６】
また、回転筒フィルタ３０の回転方向は一端側である駆動モータ５０側から見て反時計回りであるが、時計回りであってもよい。ただし、時計回りとすると、ブラシ４０が受け皿となって、集塵フィルタに蓄積された塵埃が重力によって落下するのが妨げられ、清掃効率が落ちる場合がある。この場合であっても、ブラシ４０の位置を、例えば集塵ケース２０の内側で、正面側に備えられた係止部２８寄りに変更することで、清掃効率を維持することができる。すなわち、回転筒フィルタ３０の回転方向およびブラシ４０の位置は、清掃効率が妨げられなければ、その回転方向および位置を適宜変更することできる。
【００４７】
また、本実施形態には制御手段が備えられているため、回転筒フィルタ３０の回転方向およびブラシ４０の位置を変更しなくても、スケジュールを調節して回転筒フィルタ３０の回転回数や回転時間を増やすことで清掃効率を維持することができる。
【００４８】
駆動モータ５０および吸引コンプレッサ６０は、稼働および休止が所定のスケジュールによって制御され、駆動モータ５０が回転することで回転筒フィルタ３０の集塵シート３４がブラシ４０によって定期的に清掃される。したがって、目詰まりが防止されて集塵機１０の集塵力を維持することができる。
【００４９】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５０】
研磨搬送リフト              １
遊技球                      ２
球通路                      ３
研磨搬送パイプ              ４
螺旋撹拌具                  ５
上部球タンク                ６
集塵機吸い込み口            ７
球補給通路                  ８
研磨材通路                  ９
集塵機                      １０
集塵ケース                  ２０
集塵ケース本体              ２１
集塵ケース蓋                ２２
集塵ホース                  ２３
集塵ホース接続口            ２４
連通孔                      ２５
集塵ケースシールゴム        ２６
ヒンジ部                    ２７
係止部                      ２８
回転筒フィルタ              ３０
中筒                        ３１
閉塞鍔                      ３１ａ
開口鍔                      ３１ｂ
通風軸                      ３１ｃ
通風路                      ３２
開口部                      ３２ａ
筒状スポンジ                ３３
集塵シート                  ３４
凸状軸部                    ３５
フィルタ側潤滑リング        ３６
結束バンド                  ３７
ブラシ                      ４０
板バネ                      ４１
駆動モータ                  ５０
駆動平歯車                  ５１
吸引コンプレッサ            ６０
吸気口                      ６１
円盤状スポンジ              ６２
圧力センサ                  ６３
チューブ                    ６４
駆動モータ接続ベース        ７０
連通支持軸                  ７２
駆動軸                      ７３
被駆動平歯車                ７４
吸引コンプレッサ接続ベース  ８０
連通支持口                  ８２
吸気口蓋部                  ８３
連通支持口側潤滑リング      ８４
通風連通路                  ８５
連通孔シールゴム            ９０
コイルバネ                  ９１
Ｏリング                    ９２
集塵部                      １００
集塵部フレーム              １１０
側面板                      １１１（１１１ａ、１１１ｂ）
背面板                      １１２
上面板                      １１３
駆動モータフレーム          １５０
吸引部フレーム              １６０
吸引部                      ２００
研磨材                      Ａ
【図１】
0005216900.tif 000002
【図２】
0005216900.tif 000003
【図３】
0005216900.tif 000004
【図４】
0005216900.tif 000005
【図５】
0005216900.tif 000006
【図６】
0005216900.tif 000007
【図７】
0005216900.tif 000008